(57)【特許請求の範囲】
【請求項１】
開口部の内側に区画凹所を形成し該区画凹所を薬剤の収納空間とする容器本体と、該開口部を封止して該収納空間を閉鎖する密閉壁とを備え、前記収納空間に、前記容器本体の押し潰しにより前記密閉壁を穿孔して該収納空間の薬剤を注出する尖頭体を設けた投薬デバイスであって、
前記容器本体に、該容器本体の押し潰しに伴う収納空間の圧力上昇にて膨出し該収納空間の圧力上昇を抑制する圧力吸収壁を設けたことを特徴とする投薬デバイス。
【請求項２】
前記圧力吸収壁は、前記収納空間に向けて突出する凸状体である請求項１記載の投薬デバイス。
【請求項３】
前記尖頭体を前記収納空間に保持する支持部材を設け、
前記支持部材が、該尖頭体を固定するベースと、該ベースと一体連結し前記容器本体及び前記密閉壁の少なくとも一方に弾性支持される弾性片とを備える請求項１又は２記載の投薬デバイス。
【請求項４】
前記尖頭体を、前記区画凹所の壁部に直接設けた請求項１又は２記載の投薬デバイス。
【発明の詳細な説明】
【技術分野】
【０００１】
本発明は、薬剤を内容物として収容した容器を皮膚や粘膜等に直接押しつけて、中身の薬剤を投与するのに好適な投薬デバイスに関する。
【背景技術】
【０００２】
従来より、容器の内部空間に薬剤と針状の部材とを共に収容し、この容器を皮膚や粘膜等に直接押しつけて、針状の部材で容器の封止フィルムの穿孔と皮膚への穿刺を行い、中身の薬剤を身体に浸透させる投薬デバイスが知られている。（例えば特許文献１参照）
【先行技術文献】
【特許文献】
【０００３】
【特許文献１】特開２００４−６５７７５号公報
【発明の概要】
【発明が解決しようとする課題】
【０００４】
ところで、上記のような構成の投薬デバイスは、容器の押し込みによって内部空間の容積は減る一方、この空間の内部圧力は上昇する。この為、封止フィルムが穿孔されると、加圧された薬剤が身体に浸透する前に容器から流れ出し、必要量の薬剤を投与できない懸念があった。また、薬剤の浸透速度が予定以上に速くなってしまう懸念もあった。
【０００５】
本発明の課題は、内部空間に薬剤と針状の部材とを共に収容する容器を、皮膚や粘膜等に直接押しつけて薬剤を投与する場合に生じていた、上記の如き従来の不具合を解消できる投薬デバイスを提案するところにある。
【課題を解決するための手段】
【０００６】
本発明は、開口部の内側に区画凹所を形成し該区画凹所を薬剤の収納空間とする容器本体と、該開口部を封止して該収納空間を閉鎖する密閉壁とを備え、前記収納空間に、前記容器本体の押し潰しにより前記密閉壁を穿孔して該収納空間の薬剤を注出する尖頭体を設けた投薬デバイスであって、
前記容器本体に、該容器本体の押し潰しに伴う収納空間の圧力上昇にて膨出し該収納空間の圧力上昇を抑制する圧力吸収壁を設けたことを特徴とする投薬デバイスである。
【０００７】
前記圧力吸収壁は、前記収納空間に向けて突出する凸状体であることが望ましい。
【０００８】
前記尖頭体を前記収納空間に保持する支持部材を設け、
前記支持部材が、該尖頭体を固定するベースと、該ベースと一体連結し前記容器本体及び前記密閉壁の少なくとも一方に弾性支持される弾性片とを備えることが望ましい。
【０００９】
前記尖頭体を、前記区画凹所の壁部に直接設けることが望ましい。
【発明の効果】
【００１０】
容器本体に、この容器本体の押し潰しに伴う収納空間の圧力上昇にて膨出する圧力吸収壁を設けたので、収納空間の圧力上昇を抑制することが可能となり、密閉壁を穿孔する際の薬剤の漏れ出しを効果的に抑制することができる。
【００１１】
圧力吸収壁を、収納空間に向けて突出する凸状体として設けたので、簡易な構成により収納空間の圧力上昇を吸収することができる。
【００１２】
尖頭体を保持する支持部材が、この尖頭体を保持するベースと、このベースと一体連結し容器本体及び密閉壁の少なくとも一方に弾性支持される弾性片とを備えてなるので、容器の押し潰し前における尖頭体と密閉壁との接触が防止され、容器の不用意な開栓が阻止される。また押し潰しの際には弾性変形するので、強い力で押し込まなくても密閉壁を穿孔することができる。
【００１３】
尖頭体を、区画凹所の壁部に直接設けたので、部材を減らして構成を簡略化することができる。
【図面の簡単な説明】
【００１４】
【図１】本発明に従う投薬デバイスの実施の形態を示した図であり、（ａ）は容器本体を押し潰す前の斜視図であり、（ｂ）は（ａ）の中央を切断して内部構造を示した斜視図である。
【図２】図１に示す投薬デバイスの容器本体の断面図である。
【図３】図２に示す投薬デバイスの容器本体を押し潰した後の断面図である。
【図４】図１に示す投薬デバイスの容器本体を押し潰した後の図であり、（ａ）は斜視図であり、（ｂ）は（ａ）の中央を切断して内部構造を示した斜視図である。
【図５】本発明にしたがう投薬デバイスの他の実施の形態を示した図であり、中央で切断した断面図である。
【発明を実施するための形態】
【００１５】
以下、図面を参照して、本発明をより具体的に説明する。
図１は、本発明に従う投薬デバイスの実施の形態を示した図であり、（ａ）は容器本体を押し潰す前の斜視図であり、（ｂ）は（ａ）の中央を切断して内部構造を示した図であり、図２は、図１に示す投薬デバイスの容器本体の断面図である。
【００１６】
図１において、１は投薬デバイスの本体部となる容器本体である。容器本体１は、開口部１ａの内側に区画凹所１ｂを有しており、この区画凹所１ｂの内側に薬剤等の内容物ｍ（液体、粘性体、粉体など）を収容する収納空間Ｍを形成している。図示の例で容器本体１は、区画凹所１ｂとは逆向きであって、収納空間Ｍに向けて突出する凸状体（圧力吸収壁）１ｃを備えている。容器本体１は、押圧力を加える前は区画凹所１ｂの形状を保持することが可能であって、この区画凹所１ｂを押し込んだ時には潰すことができる、薄肉のプラスチック等によって形成されている。
【００１７】
２は、収納空間Ｍに内容物ｍを収容した後、開口部１ａを取り囲むフランジと接着剤等により接着され、収納空間Ｍを閉鎖する密閉壁である。密閉壁２は、後述する尖頭体により孔が形成できるようにフィルムやシート等によって形成されている。
【００１８】
３は、収納空間Ｍにおいて、尖った側を密閉壁２に向ける尖頭体である。尖頭体３は、密閉壁２を穿孔後、皮膚や粘膜等に僅かに刺さるものであり、微小な針となっている。
【００１９】
４は、尖頭体３を収納空間Ｍに保持する支持部材である。支持部材４は、尖頭体３を保持するベース４ａと、ベース４ａと一体連結するとともに、容器本体１及び密閉壁２の少なくとも一方と接続部４ｃを介して連結して、尖頭体３を弾性支持する弾性片４ｂとを備えている。尖頭体３は、弾性片４ｂによって、区画凹所１ｂの直下において密閉壁２から間隔をあけて配置されている。図２に示す例で尖頭体３は、１つの弾性片４ｂが密閉壁２と連結する片持ち支持されたものとして示しているが、２つの弾性片４ｂで両端支持するようにしてもよい。また尖頭体３は、図示の例では複数設けた例を示したが、狭い範囲に投与する場合には１つであってもよい。
【００２０】
上記のような構成となる投薬デバイスを用いて薬剤を投与するには、図３に示すように密閉壁２を皮膚Ｓにあてがい、容器本体１の区画凹所１ｂを押圧する。この押圧により区画凹所１ｂは次第に押し潰され、密閉壁２を穿孔するとともに皮膚Ｓを穿刺して、最終的に変形した区画凹所１ｂ´となる（図３、図４（ａ）、（ｂ）参照）。この押し潰しの最中において、収納空間Ｍの容積は減っていくとともに内部圧力は上昇していくが、凸状体１ｃは、上昇する内部圧力に応じて収納空間Ｍの反対側に向かって膨出して、凸状体１ｃ´に変形する。このため区画凹所１ｂを押し潰しても、収納空間Ｍの圧力上昇を抑制することができる。また、区画凹所１ｂの押し潰しに伴い、収納空間Ｍの圧力が実質的に一定に保持されるように設定することが好ましい。また密閉壁２が穿孔されるまでは、区画凹所１ｂが変形しても収納空間Ｍは密閉したまま保たれるので、内容物ｍや尖頭体３が汚染されるおそれがない。
【００２１】
図示の例で圧力吸収壁は、収納空間Ｍに向けて突出する凸状体１ｃとして示したが、周囲の区画凹所１ｂと同一形状のまま部分的に厚みを薄くしたり、材料を部分的に弾性変形しやすいものに変更したりして、この部位が圧力上昇に応じて膨出するようにしてもよい。
【００２２】
密閉壁２の外側（収納空間Ｍとは反対側）に、皮膚Ｓに貼り付けるための粘着体を設けてもよい。これにより容器本体１を押圧する際に投薬デバイスがずれてしまうことがなく、皮膚等の不用意な傷つけを有効に防止し得ることができ、また投与中は投薬デバイスが皮膚Ｓから浮き上がることが無いので、薬剤を漏れなく浸透させることが可能となる。
【００２３】
密閉壁２の内側（収納空間Ｍと同じ側）に、粘着体を設けてもよい。これにより区画凹所１ｂを押圧した際に尖頭体３のベース４ａがこの粘着体に貼り付いて、押圧する指を離しても尖頭体３が皮膚に穿刺して薬剤の浸透が継続でき、必要とする薬剤を最後まで浸透させることができる。
【００２４】
尖頭体３を、図５に示すように区画凹所１ｂの壁部に接着或いは溶着等により直接設けてもよい。これにより弾性片４ｂ等を削減できるので、構成を簡略化することができる。
【産業上の利用可能性】
【００２５】
本発明によれば、内部空間に薬剤と針状の部材とを共に収容する容器を、皮膚や粘膜等に直接押しつけて薬剤を投与する投薬デバイスに関し、内部空間の容積の減少に伴う圧力の上昇を抑制することが可能な投薬デバイスを提供できる。
【符号の説明】
【００２６】
１    容器本体
１ａ  開口部
１ｂ  区画凹所
１ｃ  凸状体（圧力吸収壁）
２    密閉壁
３    尖頭体
４    支持部材
４ａ  ベース
４ｂ  弾性片
４ｃ  接続部
ｍ    内容物
Ｍ    収納空間
Ｓ    皮膚
【図１】
0005424998.tif 000002
【図２】
0005424998.tif 000003
【図３】
0005424998.tif 000004
【図４】
0005424998.tif 000005
【図５】
0005424998.tif 000006